(57)【特許請求の範囲】
【請求項１】
貯蔵タンクから流通される飲料水を冷却する冷却部と、容器を傾斜させた状態で、飲料水を該容器に注入するための注出部とからなるディスペンサにおいて、  前記注出部が、前記飲料水を注出する注出ノズルと、前記注出ノズルが取り付けられたスタンド部と、前記スタンド部の前面に取り付けられた取付部と、該取付部に設けられた引掛け軸部に枢着された作動板と、前記引掛け軸部を中心に回動可能となるように、該引掛け軸部に上端が引掛けられた容器置台と、を備え、  前記容器置台が、前記取付部に対して着脱自在となっており、  前記取付部が、前記スタンド部に対して着脱自在となっており、  前記スタンド部の後方に駆動機構が配置されており、  前記駆動機構が、モーターと、該モーターにより駆動するリンク機構と、からなり、  前記リンク機構が、前記モーターに連動する回動部と、一端が該回動部に枢着された第１リンクと、一端が該第１リンクの他端に枢着された第２リンクと、該第２リンクの他端に設けられた作動板と、からなり、  前記第１リンクが中間の位置で後方に屈曲した側面視Ｖ字構造となっており、  前記第２リンクが、前記スタンド部及び前記取付部に設けられた逃がし穴を挿通しており、  前記作動板が、前記取付部と前記容器置台との間に位置しており、  前記駆動機構の駆動に基づいて、前記作動板を介して、前記容器置台が回動可能となっ ており、  前記作動板の面方向が、前記第２リンクの長手方向に対して斜交し、且つ、前記作動板の面方向と前記第２リンクの長手方向とのなす角度が、駆動中において一定となっているディスペンサ。
【請求項２】
前記第２リンクが縦長の平板状であり、  前記逃がし穴の形状が縦長であり、該逃がし穴のサイズが、少なくとも前記第２リンクが挿通可能な大きさであり、且つ、面積が３ｃｍ２以下である請求項１記載のディスペン サ。
【請求項３】
容器置台が、平板状の背面部と、前記背面部の下端に設けられた下置台と、前記背面部の中腹に設けられた上置台と、からなり、  前記下置台及び前記上置台が配置される容器を支持するためのものであり、  前記背面部の上端には引掛け部が設けられ、  前記背面部には前記作動板が接している請求項１又は２に記載のディスペンサ。
【請求項４】
前記冷却部が、冷却槽と、冷却槽の一部分を凍らせるための冷凍装置とを有し、  前記駆動装置が、前記スタンド部と、前記冷却部との間に配置されている請求項１〜３のいずれか１項に記載のディスペンサ。
【請求項５】
前記回動部の回動上限及び回動下限を制限するための一対のボルトが設けられている請求項１〜４のいずれか１項に記載のディスペンサ。
【請求項６】
前記スタンド部の上には、前記駆動機構に対して、駆動指令を出すための、操作パネルが取り付けられており、  前記操作パネルには制御部が接続されており、  前記制御部には、前記駆動機構を駆動させる駆動情報が格納されており、  前記操作パネルには、トラブルへの対応方法を説明するヘルプ情報と、故障個所を連絡するサポート情報とが格納されている請求項１〜５のいずれか１項に記載のディスペンサ。
【発明の詳細な説明】
【技術分野】
【０００１】
本発明は、ディスペンサに関し、更に詳しくは、飲料水を、容器を傾斜させた状態で、該容器に注入するためのディスペンサに関する。
【背景技術】
【０００２】
液体を高精度で定量供給する、いわゆるディスペンサが知られている。
ところで、飲料水がビール等の炭酸飲料である場合、ディスペンサから直立した容器にビールを注入すると、ビールが容器やビールの液面に衝突し、その衝撃により、ビールの滴が飛び散ると共に、炭酸ガスが泡となって大量に発生するという問題がある。
【０００３】
これに対し、容器を傾斜させ、当該容器の壁面に沿って飲料を注入するディスペンサが開発されている。
例えば、ディスペンサ本体に配設された注出コックの下方に傾動可能に配設され、容器が載置される載置手段と、この載置手段を傾動させる傾動装置とを備え、飲料の注出に際して傾動装置により載置手段と共に容器を傾斜させる飲料ディスペンサが知られている（例えば、特許文献１参照）。
【０００４】
かかる飲料ディスペンサにおいては、傾動装置を覆うカバー体がディスペンサ本体に取り付けられており、また、傾動装置の作動時には作動板材が前方へ突出し、非作動時には作動板材の全体が凹部に収納されるようになっている。
【先行技術文献】
【特許文献】
【０００５】
【特許文献１】特許第３６６２７９８号公報
【発明の概要】
【発明が解決しようとする課題】
【０００６】
しかしながら、特許文献１記載の飲料ディスペンサにおいては、凹部が設けられているため、ビールを容器に注入する際に、容器から溢れたビールの垂れや飛び散ったビールの滴等が、該凹部に付着し、そこに収納される作動板材を汚染させるという欠点がある。
【０００７】
本発明は上記事情に鑑みてなされたものであり、飲料水の垂れや飛び散った飲料水の滴により駆動機構が汚染することを極力防止することができるディスペンサを提供することを目的とする。
【課題を解決するための手段】
【０００８】
本発明者は、上記課題を解決するため鋭意検討したところ、駆動機構をスタンド部の後方に配置した構成とし、スタンド部及びスタンド部の前面に取り付けられた取付部に設けられた逃がし穴を挿通した駆動機構の先端に作動板を取り付けることにより、上記課題を解決できることを見出し、本発明を完成させるに至った。
【０００９】  本発明は、（１）貯蔵タンクから流通される飲料水を冷却する冷却部と、容器を傾斜させた状態で、飲料水を該容器に注入するための注出部とからなるディスペンサにおいて、注出部が、飲料水を注出する注出ノズルと、注出ノズルが取り付けられたスタンド部と、スタンド部の前面に取り付けられた取付部と、該取付部に設けられた引掛け軸部に枢着された作動板と、引掛け軸部を中心に回動可能となるように、該引掛け軸部に上端が引掛けられた容器置台と、を備え、容器置台が、取付部に対して着脱自在となっており、取付部が、スタンド部に対して着脱自在となっており、スタンド部の後方に駆動機構が配置されており、駆動機構が、モーターと、該モーターにより駆動するリンク機構と、からなり、リンク機構が、モーターに連動する回動部と、一端が該回動部に枢着された第１リンクと、一端が該第１リンクの他端に枢着された第２リンクと、該第２リンクの他端に設けられた作動板と、からなり、第１リンクが中間の位置で後方に屈曲した側面視Ｖ字構造となっており、第２リンクが、スタンド部及び取付部に設けられた逃がし穴を挿通しており、作動板が、取付部と容器置台との間に位置しており、駆動機構の駆動に基づいて、作動板を介して、容器置台が回動可能となっており、作動板の面方向が、第２リンクの長手方向に対して斜交し、且つ、作動板の面方向と第２リンクの長手方向とのなす角度が、駆動中において一定となっているディスペンサに存する。【００１２】  本発明は、（２）第２リンクが縦長の平板状であり、逃がし穴の形状が縦長であり、該逃がし穴のサイズが、少なくとも第２リンクが挿通可能な大きさであり、且つ、面積が３ｃｍ２以下である上記（１）記載のディスペンサに存する。【００１３】  本発明は、（３）容器置台が、平板状の背面部と、背面部の下端に設けられた下置台と、背面部の中腹に設けられた上置台とからなり、下置台及び上置台が配置される容器を支持するためのものであり、背面部の上端には引掛け部が設けられ、背面部には作動板が接している上記（１）又は（２）に記載のディスペンサに存する。  本発明は、（４）冷却部が、冷却槽と、冷却槽の一部分を凍らせるための冷凍装置とを有し、駆動装置が、スタンド部と、冷却部との間に配置されている上記（１）〜（３）のいずれか１つに記載のディスペンサに存する。  本発明は、（５）回動部の回動上限及び回動下限を制限するための一対のボルトが設けられている上記（１）〜（４）のいずれか１つに記載のディスペンサに存する。【００１４】  本発明は、（６）スタンド部の上には、駆動機構に対して、駆動指令を出すための、操作パネルが取り付けられており、操作パネルには制御部が接続されており、制御部には、駆動機構を駆動させる駆動情報が格納されており、操作パネルには、トラブルへの対応方法を説明するヘルプ情報と、故障個所を連絡するサポート情報とが格納されている上記（１）〜（５）のいずれか１つに記載のディスペンサ に存する
【発明の効果】
【００１７】
本発明のディスペンサにおいては、容器を傾斜させた状態で、飲料水を容器に沿って当該容器に注入することができるため、飲料水が飛び散ることを極力抑制することができる。
また、飲料水が、ビール等の炭酸飲料である場合は、ビール中の炭酸ガスが泡となって大量に発生することを防止することができる。
【００１８】
本発明のディスペンサにおいては、駆動機構をスタンド部の後方に配置した構成とすることにより、ディスペンサ１００自体をコンパクトにすることができる。
【００１９】
本発明のディスペンサにおいては、スタンド部及び取付部に設けられた逃がし穴を挿通した駆動機構の先端に作動板が取り付けられているので、飲料水を容器に注入する際に、飲料水の垂れや飛び散った飲料水の滴等が逃がし穴からスタンド部の後方に侵入することを極力抑制することができる。これにより、スタンド部の後方に配置される駆動機構の汚染を防止することができる。
【００２０】
本発明のディスペンサにおいては、駆動機構が、モーターと、該モーターにより駆動するリンク機構と、からなり、作動板がスタンド部及び取付部に設けられた逃がし穴を挿通したリンク機構の先端に取り付けられている場合、当該リンク機構の構造を調整することにより、作動板と容器置台とを一体に回動させることが可能となる。
また、このとき、スタンド部及び取付部の逃がし穴におけるリンク機構の上下移動を小さくすることにより、逃がし穴のサイズも極力小さくすることができる。
【００２１】
本発明のディスペンサにおいては、リンク機構が、回動部と、上述した第１リンク及び第２リンクと、作動板と、からなり、作動板の面方向が、第２リンクの長手方向に対して斜交している構造である場合、第２リンクを円弧運動させることにより、比較的簡単に、作動板と容器置台とを一体に回動させることができ、且つ、逃がし穴における第２リンクの上下移動を極力小さくすることができる。
このとき、第２リンクが縦長の平板状である場合、容器置台を押し上げる力を十分に発揮できる。
また、逃がし穴の形状を少なくとも第２リンクが挿通可能な縦長とし、且つ、逃がし穴の面積を３ｃｍ２以下とした場合、逃がし穴が第２リンクの動きを阻害することなく、飲料水の垂れや飛び散った飲料水の滴等が逃がし穴に侵入することをより一層防止することができる。
【００２２】
本発明のディスペンサにおいては、容器置台が、背面部と、下置台と、上置台とからなる場合、構造がシンプルでありながら、下置台又は上置台を利用することで、異なるサイズの容器であっても支持することができる。
また、背面部の上端には引掛け部が設けられているので、当該引掛け部を、取付部に設けられた引掛け軸部に引掛けることにより、容器置台を取付部に簡単に取り付けることができ、逆の操作で簡単に取り外すこともできる。
【００２３】
本発明のディスペンサにおいては、スタンド部の上に、駆動機構に対して、駆動指令を出すための、操作パネルが取り付けられている場合、操作パネルを操作することにより、簡単に、駆動機構を駆動させることができる。
具体的には、操作パネルに制御部が接続されており、当該制御部に、駆動機構を駆動させる駆動情報が格納されている場合、当該駆動情報に基づいて、駆動機構を簡単に駆動させることができる。
【００２４】
本発明のディスペンサにおいては、操作パネルにヘルプ情報が格納されている場合、ヘルプ情報に基づいて、トラブルへの対応方法を知ることができ、また、トラブルの要因を簡単に見つけることができる。
さらに、操作パネルにサポート情報が格納されている場合、サポート情報に基づいて、故障個所を簡単にメンテナンスすることができる。
【図面の簡単な説明】
【００２５】
【図１】図１は、本発明に係るディスペンサの一実施形態を示す斜視図である。
【図２】図２は、図１に示すディスペンサの正面図である。
【図３】図３は、図１に示すディスペンサの側面図である。
【図４】図４は、本実施形態に係るディスペンサの内部構造を説明するための説明図である。
【図５】図５は、本実施形態に係るディスペンサの取付部を示す部分正面図である。
【図６】図６の（ａ）〜（ｃ）は、本実施形態に係るディスペンサの駆動機構を説明するための説明図である。
【発明を実施するための形態】
【００２６】
以下、必要に応じて図面を参照しつつ、本発明の好適な実施形態について詳細に説明する。なお、図面中、同一要素には同一符号を付すこととし、重複する説明は省略する。また、図面の寸法比率は図示の比率に限られるものではない。
【００２７】
本発明に係るディスペンサは、容器を傾斜させた状態で、当該容器の壁面に沿って飲料水を当該容器に注入するための装置である。
なお、かかる飲料水としては、特に限定されないが、例えば、ビール等の炭酸飲料に好適に用いられる。
【００２８】
図１は、本発明に係るディスペンサの一実施形態を示す斜視図であり、図２は、図１に示すディスペンサの正面図であり、図３は、図１に示すディスペンサの側面図である。
図１〜図３に示すように、本実施形態に係るディスペンサ１００は、２カ所の注出部１０を有している。
そして、２カ所の注出部１０は、後述する１つの制御部により制御されている。
【００２９】
ディスペンサ１００において、注出部１０には、それぞれ容器置台６が取り付けられており、当該容器置台６に図示しない容器を配置して、注出ノズル３から飲料水を注出することにより、飲料水が容器に注入されるようになっている。
また、各注出部１０には、それぞれ操作パネル７が設けられており、当該操作パネル７を操作することによって、対応する注出部１０を駆動させることが可能となっている。
【００３０】
図４は、本実施形態に係るディスペンサの内部構造を説明するための説明図である。
図４に示すように、本実施形態に係るディスペンサ１００は、図示しない貯蔵タンクから流通される飲料水を冷却する冷却部２と、容器を傾斜させた状態で、飲料水を該容器に注入するための注出部１０とを備える。
【００３１】
ここで、図示しない貯蔵タンクは、飲料水を貯蔵するためのタンクである。
冷却部２は、冷却槽２ａと、冷却槽２ａの一部分を凍らせる冷凍装置２ｂとからなり、パイプの内部を流通する飲料水を冷却する機能を有する。
また、かかる冷却部２は、ハウジング４に内蔵されている。
なお、貯蔵タンク及び冷却部２は、公知のものを適宜使用することができるので、詳細な説明は省略する。
【００３２】
注出部１０は、注出ノズル３が突出するように取り付けられたスタンド部５と、スタンド部５の前面に取り付けられた平板状の取付部５ａと、当該取付部５ａに設けられた引掛け軸部５１に枢着された作動板８３と、引掛け軸部５１を中心に回動可能となるように、当該引掛け軸部５１に上端が引掛けられた容器置台６と、スタンド部５から前方に突出するようにスタンド部５の上部に取り付けられた操作パネル７とを備える。
【００３３】
注出ノズル３は、水平方向に延び、内部に飲料水が流通する流通路を有する注出首部３ａと、該注出首部から斜め下方に延びる注出口３ｂと、流通路を開閉する図示しない弁機構と、当該弁機構に連動するコック３ｃとからなる。
また、注出首部３ａの後端には、上述した、飲料水が流通するパイプが取り付けられている。
なお、当該パイプは、飲料水を冷却するため、貯蔵タンクから冷却部２を通って、注出首部３ａに連結されている。
【００３４】
注出ノズル３においては、コック３ｃを傾倒操作することにより、それに連動する弁機構が流通路を開放し、貯蔵タンクに貯蔵された飲料水が、パイプ内を通り、冷却部２により冷却された後、注出されることになる。
【００３５】
スタンド部５は、冷却部２の前方に並設され、冷却部２と同様に、ハウジング４に内蔵されている。
また、スタンド部５は、その前面に取付部５ａが取り付けられている。なお、取付部５ａは、スタンド部５から着脱自在となっている。
さらに、スタンド部５は、その上部に注出ノズル３が当該スタンド部５よりも前方に突出するように取り付けられている。
【００３６】
図５は、本実施形態に係るディスペンサの取付部を示す部分正面図である。
図５に示すように、取付部５ａは、突出する注出ノズル３の下方に、後述する容器置台６を引掛けるための引掛け軸部５１が設けられている。
また、かかる引掛け軸部５１には、作動板８３の上部が枢着されている。
さらに、取付部５ａの引掛け軸部５１の下方には、逃がし穴５２が設けられている。
【００３７】
ディスペンサ１００において、逃がし穴５２は、取付部５ａだけでなく、スタンド部５の前面の壁部にも設けられている。すなわち、スタンド部５の後方と前方とが通じるように、スタンド部５及び取付部５ａに逃がし穴５２が設けられている。
なお、スタンド部５に設ける穴のサイズと、取付部５ａに設ける穴のサイズとは必ずしも同じでなくてもよい。但し、互いの穴の少なくとも一部は一致させる必要がある。本発明においては、互いに一致する穴の部分が逃がし穴である。
当該逃がし穴５２には、後述する駆動機構８の先端（第２リンク８２ｃ）が挿入されることになる。
【００３８】
このように、ディスペンサ１００において、取付部５ａには、駆動機構８の先端を前方に逃がすための逃がし穴５２しか設けられておらず、且つ、その逃がし穴５２も最大、駆動機構８の先端が挿通できれば足る大きさなので、飲料水を容器に注入する際に、飲料水の垂れや飛び散った飲料水の滴等が逃がし穴５２からスタンド部５の後方に不用意に侵入する確率を極めて低くすることができる。これにより、スタンド部５の後方に配置される駆動機構８の汚染を防止することができる。
【００３９】
逃がし穴５２は、縦長の形状（例えば、長方形）であり、サイズが、最大、駆動機構８の先端（第２リンク８２ｃ）が挿通可能な大きさである。
そして、その大きさは、面積が３ｃｍ２以下程度であることが好ましい。この場合、逃がし穴５２が駆動機構８の先端の動きを阻害することなく、飲料水の垂れや飛び散った飲料水の滴等が逃がし穴に侵入することをより一層防止することができる。
【００４０】
図６の（ａ）〜（ｃ）は、本実施形態に係るディスペンサの駆動機構を説明するための説明図である。
図６の（ａ）に示すように、ディスペンサ１００においては、スタンド部５の後方（取付部５ａの後方）に駆動機構８が配置されている。すなわち、駆動機構８は、スタンド部５と冷却部２との間に配置されている。
かかる駆動機構８は、モーター８１と、該モーター８１により駆動するリンク機構８２とからなる。
そして、リンク機構８２は、モーター８１に連動する回動部８２ａと、一端が該回動部８２ａに枢着された第１リンク８２ｂと、一端が該第１リンク８２ｂの他端に枢着された第２リンク８２ｃと、該第２リンク８２ｃの他端に設けられた作動板８３とからなる。
【００４１】
ここで、リンク機構８２においては、上述したように、駆動機構８の先端に相当する第２リンク８２ｃがスタンド部５及び取付部５ａに設けられた逃がし穴５２を通じて、取付部５ａの前側に突出しており、当該第２リンク８２ｃの先端に作動板８３が設けられている。
ディスペンサ１００において、リンク機構８２は、不使用時には、スタンド部５の後方に収納され、使用時に、スタンド部５の前方に第２リンク８２ｃの一部が飛び出るようになっている。
このように、本実施形態に係るディスペンサ１００においては、駆動機構８をスタンド部５の後方に配置した構成とすることにより、ディスペンサ１００自体をコンパクトにすることができる。
【００４２】
ディスペンサ１００において、作動板８３は、引掛け軸部５１に枢着されており、作動板８３の後ろ側が、リンク機構８２の先端に取り付けられ、作動板８３の前側が、容器置台６に接している。すなわち、作動板８３は、平板状であり、取付部５ａの前面と容器置台６との間に位置している。
【００４３】
図６の（ｂ）及び（ｃ）に示すように、ディスペンサ１００においては、モーター８１を駆動させることにより、回動部８２ａが回動し、それに基づいて、第１リンク８２ｂ及び第２リンク８２ｃが駆動する。
そうすると、第２リンク８２ｃの先端が取付部５ａの前方に突出するように動き、第２リンク８２ｃの先端に取り付けられた作動板８３が、引掛け軸部５１を中心に回動することになる。
これにより、容器置台６が斜め上方向に押し上げられる。
【００４４】
ここで、作動板８３の前側には、容器置台６が面接触しているので、駆動機構８の駆動に基づいて、作動板８３及び容器置台６が一体となって回動する。
したがって、駆動機構８の駆動の際に、作動板８３により、容器置台６に傷が付くことを抑制できる。
【００４５】
ディスペンサ１００においては、第１リンク８２ｂが中間の位置で後方に屈曲した構成となっている。このため、第１リンク８２ｂの動きをコンパクトとすることができ、リンク機構８２の前後幅を極力短くすることができる。
更にまた、第２リンク８２ｃを円弧運動させることができるので、逃がし穴５２における第２リンク８２ｃの上下移動を極力小さくすることができる。すなわち、逃がし穴５２の上下方向のサイズを極力小さくすることができる。
【００４６】
ディスペンサ１００において、第１リンク８２ｂに枢着された第２リンク８２ｃは、縦長の平板状となっている。このため、容器置台６を押し上げる力を十分に発揮できる。
また、第２リンク８２ｃの先端に設けられた作動板８３の面方向が第２リンク８２ｃの長手方向に対して斜交している。このため、第２リンク８２ｃの円弧運動により、作動板８３を介して、容器置台６が斜め上方に押し上げられることになる。
なお、作動板８３の面方向と、第２リンク８２ｃの長手方向とのなす角度は、駆動中においても一定となっている。
【００４７】
図４に戻り、容器置台６は、平板状の背面部６２と、背面部６２の下端に設けられた下置台６１と、背面部６２の中腹に設けられた上置台６３とからなる。なお、下置台６１及び上置台６３は、配置される容器を支持するためのものである。
上置台６３は、背面部６２に回動可能となるように設けられており、背面部６２に面一となった状態から、背面部６２の前方に突出する状態に回動させることができる。
また、容器置台６において、背面部６２の上端には引掛け部６２ａが設けられており、取付部５ａに設けられた引掛け軸部５１に、この引掛け部６２ａが引掛けられる。
これにより、容器置台６の背面部６２と作動板８３とが接することになる。
【００４８】
容器置台６においては、構造がシンプルでありながら、下置台６１又は上置台６３を利用することで、上下方向に異なるサイズの容器であっても支持することができる。
また、引掛け部６２ａを、取付部５ａの引掛け軸部５１に引掛けることにより、容器置台６を取付部５ａに簡単に取り付けることができ、逆の操作で簡単に取り外すこともできる。このため、メンテナンスや掃除洗浄を容易に行うことができる。
【００４９】
操作パネル７は、スタンド部５から前方に突出するように、スタンド部５の上部に取り付けられている。
具体的には、スタンド部５の上部に枢着されたカバー体７ａの前面に取り付けられている。なお、カバー体７ａは、上方に回動可能となっており、例えば、カバー体７ａを上方に回動させることにより、コック３ｃが露出するようになっている。
したがって、手動でコック３ｃを操作する場合（例えば、故障により、コック３ｃの電気制御が不能になった場合）には、カバー体７ａを上方に回動させ、ジョイント３ｄを外し、コック３ｃを操作することにより、飲料水を注出することができる。
【００５０】
操作パネル７は、いわゆるタッチパネルとなっており、操作パネル７に対して、直接触れることで、操作が可能である。
具体的には、操作パネル７において、注出動作の切欠となるスイッチや飲料水切れを知られる画面表示・エラー表示等がタッチパネルとなっており、これに触れることで操作が可能となっている。
【００５１】
操作パネル７は、駆動情報が格納された制御部と、有線による通信が可能となるように接続されている。なお、具体的には、制御部は、各情報が格納されたハードディスク等の外部記憶装置、各情報を記憶するメモリ（ＲＯＭ，ＲＡＭ）、該情報を実行する中央処理装置（ＣＰＵ）等を備える汎用のものである。
ディスペンサ１００において、制御部に駆動情報が格納されているので、操作パネル７を用いて駆動指令を出すことにより、簡単に、駆動機構８を駆動させることができる。
【００５２】
また、操作パネル７には、トラブルへの対応方法を説明するヘルプ情報が格納されている。このため、例えば、飲料水が出なくなった、泡が多くなった、注出量が変わった等の飲料水の注出時のトラブルへの対応方法が操作パネル７に表示されるようになっている。
これにより、使用者自らが、ヘルプ情報の説明に基づいて、これらのトラブルに簡単に対処することができる。
さらに、操作パネル７には、故障個所をメンテナンスするためのサポート情報が格納されている。このため、例えば、メンテナンスの際に、故障個所の発見に役立つ情報が操作パネル７に表示される。また、ディスペンサ１００の動作確認を行うこともできる。
これにより、サポート情報に基づいて、簡単にメンテナンスすることができる。
【００５３】
以上のことから、本実施形態に係るディスペンサ１００においては、使用の際、容器置台６に容器を配置した後、操作パネル７を操作して駆動機構８を駆動させることにより、容器置台６と共に容器を傾斜させることができる。
そして、容器を傾斜させた状態で、注出ノズル３のコック３ｃを傾倒操作することにより、連動する弁機構が流通路を開放し、注出ノズル３の注出口３ｂから飲料水を、容器内に注入されることになる。
これらのことにより、ディスペンサ１００においては、コンパクトでありながら、飲料水の垂れや飛び散った飲料水の滴により駆動機構８が汚染することを極力防止することができる。
【００５４】
以上、本発明の好適な実施形態について説明したが、本発明は上述した実施形態に限定されるものではない。
【００５５】
例えば、本実施形態に係るディスペンサ１００においては、２基の注出部１０が並設されているが、１基であってもよく、３基以上の注出部が並設されていてもよい。
【００５６】
本実施形態に係るディスペンサ１００において、注出ノズル３は、水平方向に延び、内部に飲料水が流通する流通路を有する注出首部３ａと、該注出首部から斜め下方に延びる注出口３ｂと、流通路を開閉する図示しない弁機構と、当該弁機構に連動するコック３ｃとからなっているが、飲料水を注出可能であれば、この構造に限定されるものではない。
【００５７】
本実施形態に係るディスペンサ１００において、リンク機構８２は、回動部８２ａと、第１リンク８２ｂと、第２リンク８２ｃと、作動板８３とからなっているが、この構造に限定されるものではない。
また、第１リンク８２ｂが中間の位置で後方に屈曲した構成となっているが、必ずしも屈曲している必要はない。
さらに、第２リンク８２ｃは、縦長の平板状となっているが、線状、棒状、角柱状等であってもよい。
【００５８】
本実施形態に係るディスペンサ１００において、作動板８３が第２リンク８２ｃに取り付けられているが、別体であってもよい。
【００５９】
本実施形態に係るディスペンサ１００において、容器置台６は、平板状の背面部６２と、背面部６２の下端に設けられた下置台６１と、背面部６２の中腹に設けられた上置台６３とからなっているが、容器を支持可能であり、且つ、取付部５ａの引掛け軸５１に引掛けることが可能であれば、この構成に限定されるものではない。
また、容器置台６は、取付部５ａに対して、着脱自在となっているが、引掛け軸５１に枢着されていてもよい。
【００６０】
本実施形態に係るディスペンサ１００において、スタンド部５の上に操作パネル７が取り付けられているが、必ずしも必須ではない。
【産業上の利用可能性】
【００６１】
本発明のディスペンサ１００は、容器を傾斜させた状態で、当該容器の壁面に沿って飲料水を当該容器に注入するための装置として利用できる。特に、飲料水がビール等の炭酸飲料である場合に好適である。
本発明のディスペンサ１００によれば、飲料水の垂れや飛び散った飲料水の滴により駆動機構が汚染することを極力防止することができる。
【符号の説明】
【００６２】  １０・・・注出部  １００・・・ディスペンサ  ２・・・冷却部  ２ａ・・・冷却槽  ２ｂ・・・冷凍装置  ３・・・注出ノズル  ３ａ・・・注出首部  ３ｂ・・・注出口  ３ｃ・・・コック  ３ｄ・・・ジョイント  ４・・・ハウジング  ５・・・スタンド部  ５ａ・・・取付部  ５１・・・引掛け軸部  ５２・・・逃がし穴  ６・・・容器置台  ６１・・・下置台  ６２・・・背面部  ６２ａ・・・引掛け部  ６３・・・上置台  ７・・・操作パネル  ７ａ・・・カバー体  ８・・・駆動機構  ８１・・・モーター  ８２・・・リンク機構  ８２ａ・・・回動部  ８２ｂ・・・第１リンク  ８２ｃ・・・第２リンク  ８３・・・作動板 Ｂ・・・ボルト
【図１】
0006643074.tif 000002
【図２】
0006643074.tif 000003
【図３】
0006643074.tif 000004
【図４】
0006643074.tif 000005
【図５】
0006643074.tif 000006
【図６】
0006643074.tif 000007